(57)【要約】【課題】迅速かつ容易にはんだ付けすることができるだけでなく、最適な光量の照明光を得ることができ、さらに大型化を抑えることができる内視鏡用アダプタ、内視鏡用アダプタの製造方法及び内視鏡装置を提供すること。【解決手段】内視鏡装置の挿入部に着脱可能に取り付けられる内視鏡用アダプタ１４であって、被検体に照明光を照射する照明部と、前記挿入部に取り付けられたときに、前記挿入部に設けられた挿入側電極部に当接されるアダプタ側電極部４３と、このアダプタ側電極部４３と前記照明部とを電気的に接続するケーブル６４とを備え、前記ケーブル６４の長さ寸法が、前記アダプタ側電極部４３と前記照明部との間の配線距離よりも長く設定されていることを特徴とする。【選択図】図３
2007312809.tif 000002
【特許請求の範囲】
【請求項１】
内視鏡装置の挿入部に着脱可能に取り付けられる内視鏡用アダプタであって、
被検体に照明光を照射する照明部と、
前記挿入部に取り付けられたときに、前記挿入部に設けられた挿入側電極部に当接されるアダプタ側電極部と、
このアダプタ側電極部と前記照明部とを電気的に接続するケーブルとを備え、
前記ケーブルの長さ寸法が、前記アダプタ側電極部と前記照明部との間の配線距離よりも長く設定されていることを特徴とする内視鏡用アダプタ。
【請求項２】
前記ケーブルの余剰分を収納する余剰スペースが設けられていることを特徴とする請求項１に記載の内視鏡用アダプタ。
【請求項３】
前記照明部が組み込まれて前記照明部を支持するアダプタ本体部と、
前記照明部と前記アダプタ本体部との間に設けられて、前記照明部の組み込み方向と反対方向に前記照明部を付勢する付勢部材とを備え、
前記照明部が、前記アダプタ本体部から突出した状態で前記付勢部材に支持されて、前記照明部と前記ケーブルとがはんだ付けされ、
前記はんだ付けされた後、前記照明部が前記アダプタ本体部に組み込まれて形成されることを特徴とする請求項１又は請求項２に記載の内視鏡用アダプタ。
【請求項４】
前記照明部が組み込まれて前記照明部を支持するアダプタ本体部と、
前記照明部に形成され前記照明部の組み込み方向に向けて延びるネジ孔と、
このネジ孔に螺合するネジとを備え、
前記ネジ孔に前記ネジが所定分だけ螺合され、前記照明部が、前記アダプタ本体部から突出した状態で前記ネジに支持されて、前記照明部と前記ケーブルとがはんだ付けされ、
前記はんだ付けされた後、前記ネジが締められて、前記照明部が前記アダプタ本体部に組み込まれて形成されることを特徴とする請求項１又は請求項２に記載の内視鏡用アダプタ。
【請求項５】
前記ケーブルが、フラットフレキシブルケーブルであることを特徴とする請求項１から請求項４のいずれか一項に記載の内視鏡用アダプタ。
【請求項６】
請求項１から請求項５のいずれか一項に記載の内視鏡用アダプタと、
この内視鏡用アダプタが着脱可能に取り付けられる挿入部と、
この挿入部が連結された内視鏡本体部とを備えることを特徴とする内視鏡装置。
【請求項７】
内視鏡装置の挿入部に着脱可能に取り付けられる内視鏡用アダプタの製造方法であって、
被検体に照明光を照射する照明部と、前記内視鏡用アダプタが前記挿入部に取り付けられたときに、前記挿入部に設けられた挿入側電極部に当接されるアダプタ側電極部とを、前記アダプタ側電極部と前記照明部との間の配線距離よりも長さ寸法が長く設定されたケーブルを介してはんだ付けすることにより電気的に接続する接続工程と、
この接続工程により前記アダプタ側電極部に電気的に接続された照明部を、この照明部を支持するアダプタ本体部に組み込む組み込み工程とを含むことを特徴とする内視鏡用アダプタの製造方法。
【請求項８】
内視鏡装置の挿入部に着脱可能に取り付けられる内視鏡用アダプタであって、
被検体に照明光を照射する照明部と、前記挿入部に取り付けられたときに、前記挿入部に設けられた挿入側電極部に当接されるアダプタ側電極部とを、前記アダプタ側電極部と前記照明部との間の配線距離よりも長さ寸法が長く設定されたケーブルを介してあらかじめはんだ付けすることにより電気的に接続し、
前記アダプタ側電極部に電気的に接続された照明部を、この照明部を支持するアダプタ本体部に組み込むことにより形成されることを特徴とする内視鏡用アダプタ。
【請求項９】
被検体に照明光を照射する照明部と、
この照明部に電源を供給する電源部と、
この電源部と前記照明部とを電気的に接続する接続部とを備え、
前記接続部の長さ寸法が、前記電源部と前記照明部との間の配線距離よりも長く設定されていることを特徴とする内視鏡装置。
【発明の詳細な説明】
【技術分野】
【０００１】
本発明は、被検体を観察するための内視鏡用アダプタ、内視鏡用アダプタの製造方法及び内視鏡装置に関するものである。
【背景技術】
【０００２】
近年、医療分野や工業分野などの様々な分野において、被検体に挿入される挿入部と、この挿入部に着脱可能に取り付けられる内視鏡用アダプタとを備える内視鏡装置が利用されている（例えば、特許文献１参照。）。そして、内視鏡用アダプタとしては、ＬＥＤなどの照明部と、この照明部に電気的に接続されるアダプタ側電極部とを備えるものが一般的である。
【０００３】
ここで、照明部はアダプタ本体部から突出しない位置までアダプタ本体部に組み込まれてから固定されるものである。なぜなら、アダプタ本体部から照明部が突出した状態で固定されると、照明部の一部が内視鏡装置の観察画像に写り込んでしまったり、照明部からの照明光がフレアになってしまったりするからである。
そこで、アダプタ本体部から突出しない適正な位置に照明部を組み込んだ状態で、照明部とアダプタ側電極部との間の配線距離と同一の長さ寸法に設定されたケーブルを介して、照明部とアダプタ側電極部とがはんだ付けにより電気的に接続される。
【特許文献１】特開２００５−２７０３９１号公報
【発明の開示】
【発明が解決しようとする課題】
【０００４】
しかしながら、上記のような内視鏡用アダプタでは、アダプタ本体部に照明部を組み込んだ状態で照明部とアダプタ側電極部とを電気的に接続するため、はんだ用のこてを入れるスペースを設ける必要があり、内視鏡用アダプタが大型化してしまうという問題がある。また、はんだ用のこてを入れるスペースを設けつつ、内視鏡用アダプタのサイズを維持しようとすると、スペースを設けた分ＬＥＤの数を減らさなければならないため、必要な光量を得ることができなくなってしまう。
さらに、はんだ用のこてを入れるスペースを設けたとしても、こてがアダプタ本体部などの他の部位に接触しないようにはんだ付けすることは困難となる。
【０００５】
本発明は、このような事情に鑑みてなされたものであって、迅速かつ容易にはんだ付けすることができるだけでなく、最適な光量の照明光を得ることができ、さらに大型化を抑えることができる内視鏡用アダプタ、内視鏡用アダプタの製造方法及び内視鏡装置を提供することを目的とする。
【課題を解決するための手段】
【０００６】
上記課題を解決するために、本発明は以下の手段を提供する。
本発明に係る内視鏡用アダプタは、内視鏡装置の挿入部に着脱可能に取り付けられる内視鏡用アダプタであって、被検体に照明光を照射する照明部と、前記挿入部に取り付けられたときに、前記挿入部に設けられた挿入側電極部に当接されるアダプタ側電極部と、このアダプタ側電極部と前記照明部とを電気的に接続するケーブルとを備え、前記ケーブルの長さ寸法が、前記アダプタ側電極部と前記照明部との間の配線距離よりも長く設定されていることを特徴とする。
【０００７】
この発明に係る内視鏡用アダプタにおいては、前記ケーブルの長さ寸法が、前記アダプタ側電極部と前記照明部との間の配線距離よりも長く設定されていることから、照明部を組み込む前に、あらかじめアダプタ側電極部と照明部とをはんだ付けすることができる。
【０００８】
また、本発明に係る内視鏡用アダプタは、前記ケーブルの余剰分を収納する余剰スペースが設けられていることを特徴とする。
【０００９】
この発明に係る内視鏡用アダプタにおいては、照明部を組み込んだ後、ケーブルの余剰分が余剰スペースに収納される。
そのため、照明部とアダプタ側電極部とを長期にわたって確実に接続することができる。
【００１０】
また、本発明に係る内視鏡用アダプタは、前記照明部が組み込まれて前記照明部を支持するアダプタ本体部と、前記照明部と前記アダプタ本体部との間に設けられて、前記照明部の組み込み方向と反対方向に前記照明部を付勢する付勢部材とを備え、前記照明部が、前記アダプタ本体部から突出した状態で前記付勢部材に支持されて、前記照明部と前記ケーブルとがはんだ付けされ、前記はんだ付けされた後、前記照明部が前記アダプタ本体部に組み込まれて形成されることを特徴とする。
【００１１】
この発明に係る内視鏡用アダプタにおいては、はんだ付けの際、照明部が、アダプタ本体部から突出した状態で付勢部材に支持されることから、さらに容易にはんだ付けを行うことができる。
【００１２】
また、本発明に係る内視鏡用アダプタは、前記照明部が組み込まれて前記照明部を支持するアダプタ本体部と、前記照明部に形成され前記照明部の組み込み方向に向けて延びるネジ孔と、このネジ孔に螺合するネジとを備え、前記ネジ孔に前記ネジが所定分だけ螺合され、前記照明部が、前記アダプタ本体部から突出した状態で前記ネジに支持されて、前記照明部と前記ケーブルとがはんだ付けされ、前記はんだ付けされた後、前記ネジが締められて、前記照明部が前記アダプタ本体部に組み込まれて形成されることを特徴とする。
【００１３】
この発明に係る内視鏡用アダプタにおいては、はんだ付けの際、照明部が、アダプタ本体部から突出した状態でネジに支持されることから、さらに容易にはんだ付けを行うことができる。
【００１４】
また、本発明に係る内視鏡用アダプタは、前記ケーブルが、フラットフレキシブルケーブルであることを特徴とする。
【００１５】
この発明に係る内視鏡用アダプタにおいては、ケーブルが、フラットフレキシブルケーブルであることから、照明部とケーブルとの電気的接触面積を大きくすることができ、照明部とアダプタ側電極部とを長期にわたって確実に接続することができる。また、ケーブルが曲がり易くなることから、照明部とアダプタ側電極部とを接続した後でも、照明部の組み込みを容易に行うことができる。
【００１６】
また、本発明に係る内視鏡装置は、請求項１から請求項５のいずれか一項に記載の内視鏡用アダプタと、この内視鏡用アダプタが着脱可能に取り付けられる挿入部と、この挿入部が連結された内視鏡本体部とを備えることを特徴とする。
【００１７】
この発明に係る内視鏡装置によれば、請求項１から請求項５のいずれか一項に記載の内視鏡用アダプタと同様の効果を奏することができる。
【００１８】
また、本発明に係る内視鏡用アダプタの製造方法は、内視鏡装置の挿入部に着脱可能に取り付けられる内視鏡用アダプタの製造方法であって、被検体に照明光を照射する照明部と、前記内視鏡用アダプタが前記挿入部に取り付けられたときに、前記挿入部に設けられた挿入側電極部に当接されるアダプタ側電極部とを、前記アダプタ側電極部と前記照明部との間の配線距離よりも長さ寸法が長く設定されたケーブルを介してはんだ付けすることにより電気的に接続する接続工程と、この接続工程により前記アダプタ側電極部に電気的に接続された照明部を、この照明部を支持するアダプタ本体部に組み込む組み込み工程とを含むことを特徴とする。
【００１９】
この発明に係る内視鏡用アダプタの製造方法においては、接続工程により、アダプタ側電極部と照明部との間の配線距離よりも長さ寸法が長く設定されたケーブルを介してはんだ付けすることにより、照明部とアダプタ側電極部とが電気的に接続される。そして、組み込み工程により、照明部とアダプタ側電極部とが電気的に接続された状態で、照明部がアダプタ本体部に組み込まれる。
そのため、照明部を組み込む前に、アダプタ側電極部と照明部とを結ぶケーブルをあらかじめ容易にはんだ付けをすることができる。
【００２０】
また、本発明に係る内視鏡用アダプタは、内視鏡装置の挿入部に着脱可能に取り付けられる内視鏡用アダプタであって、被検体に照明光を照射する照明部と、前記挿入部に取り付けられたときに、前記挿入部に設けられた挿入側電極部に当接されるアダプタ側電極部とを、前記アダプタ側電極部と前記照明部との間の配線距離よりも長さ寸法が長く設定されたケーブルを介してあらかじめはんだ付けすることにより電気的に接続し、前記アダプタ側電極部に電気的に接続された照明部を、この照明部を支持するアダプタ本体部に組み込むことにより形成されることを特徴とする。
【００２１】
この発明に係る内視鏡用アダプタにおいては、アダプタ側電極部と照明部との間の配線距離よりも長さ寸法が長く設定されたケーブルを介してはんだ付けにより、照明部とアダプタ側電極部とが電気的に接続される。そして、照明部とアダプタ側電極部とが電気的に接続された状態で、照明部がアダプタ側電極部に組み込まれる。
そのため、照明部を組み込む前に、アダプタ側電極部と照明部とをを結ぶケーブルをあらかじめ容易にはんだ付けをすることができる。
【００２２】
また、本発明に係る内視鏡装置は、被検体に照明光を照射する照明部と、この照明部に電源を供給する電源部と、この電源部と前記照明部とを電気的に接続する接続部とを備え、前記接続部の長さ寸法が、前記電源部と前記照明部との間の配線距離よりも長く設定されていることを特徴とする。
【００２３】
この発明に係る内視鏡装置においては、接続部の長さ寸法が、電源部と照明部との間の配線距離よりも長く設定されていることから、照明部を組み込む前に、あらかじめ照明部と接続部とをはんだ付けすることができる。
【発明の効果】
【００２４】
本発明によれば、照明部を組み込む前に、あらかじめ照明部をはんだ付けすることができることから、照明部を組み込む前に比べて広いスペース内で迅速かつ容易にはんだ付けすることができる。さらに、本発明によれば、こてを入れるスペースなどを設ける必要がなくなるため、大型化を抑えることができるだけでなく、照明部をより大きく設けることができることから、最適な光量の照明光を容易に得ることができる。
【発明を実施するための最良の形態】
【００２５】
（実施形態１）
以下、本発明の第１実施形態における内視鏡装置について、図面を参照して説明する。
図１は、本発明の実施形態としての内視鏡装置１を示したものである。
内視鏡装置１は、被検体に挿入される挿入部２と、この挿入部２を収納する本体収納ボックス（内視鏡本体部）３とを備えている。
【００２６】
本体収納ボックス３は、本体部７と蓋部６とを備えており、これら蓋部６と本体部７とが相互に開閉可能に取り付けられている。本体部７の内部には、回転可能な円柱状の巻き取りドラム１２が設けられている。巻き取りドラム１２の一端面は、本体収納ボックス３の側面から外部に露出しており、その一端面にはハンドル１３が設けられている。巻き取りドラム１２は中空に形成されており、その空間内部には、電源を供給する電源部４と、画像信号を処理するカメラコントロールユニット５とが収納されている。また、本体部７の天面７ａには、画像を表示するためのモニタ８と、挿入部２の操作を行うためのリモコン１１とが設けられている。
なお、符号１６は運搬用のキャスターを示すものである。
【００２７】
また、上述の挿入部２は長尺状に形成されており、この挿入部２の後端は、開口部１８を介して巻き取りドラム１２に取り付けられている。これにより、挿入部２は、開口部１８を介して引っ張り出すことにより、本体収納ボックス３から外方に延びるようになっており、逆に、ハンドル１３に手をあてがい、巻き取りドラム１２を回転させることにより、巻き取りドラム１２に巻き取られ、本体収納ボックス３に収納されるようになっている。
【００２８】
挿入部２の先端部近傍には、湾曲可能な湾曲部２１が設けられている。湾曲部２１は、リモコン１１を操作することにより、所望の方向に湾曲するようになっており、これにより、挿入部２の先端が、湾曲部２１を介して所望の方向に向けられるようになっている。湾曲部２１の先端には、円筒状に形成された先端硬質部２２が設けられている。先端硬質部２２の外周には、周方向の全周にわたって延びる雄ネジ部（不図示）が設けられている。また、先端硬質部２２には、撮像手段として例えばＣＣＤが内蔵されている。このＣＣＤは、挿入部２の内部空間を通る撮像ケーブルを介して本体部７内部に接続され、電源部４から電源の供給を受けるとともに、撮像した画像信号をカメラコントロールユニット５に送信するようになっている。また、挿入部２の先端面には、電源部４に電気的に接続された不図示の挿入側電極端子（挿入側電極部）が一対設けられている。
【００２９】
さらに、挿入部２の先端部には、観察画像を得るための側視用の内視鏡用アダプタ１４が着脱可能に取り付けられるようになっている。内視鏡用アダプタ１４は、図２に示すように、略筒状のアダプタ本体部２８と、接続筒部２９とを備えており、これらアダプタ本体部２８と接続筒部２９とが互いに回転可能に連結されている。
アダプタ本体部２８は、図３に示すように、略筒状に形成された支持本体部２５を備えている。支持本体部２５の先端側の周面には、先端カバー２６が取り付けられている。先端カバー２６は、有底円筒状に形成されており、先端カバー２６の開放端から支持本体部２５の先端が挿入されて固定されている。
【００３０】
支持本体部２５の筒孔は、大径部３３と小径部３４とが一体的に連結されて構成されている。大径部３３にはプリズム４６が設けられており、小径部３４には、両凸レンズ４７及びガラス板４８が設けられている。
また、先端カバー２６の先端側の周面には、開口部５３ｂが形成されており、この開口部５３ｂに、光を集光するための凹レンズ４９が設けられている。
さらに、支持本体部２５の後端部には、その長さ方向に延びる一対の接点ピン（アダプタ側電極部）４３が設けられている。接点ピン４３の長さ方向の一端は、支持本体部２５の後端部から突出しており、支持本体部２５に対して出没するようになっている。
【００３１】
また、支持本体部２５の後端側の周面には、接続筒部２９が回転可能に取り付けられている。接続筒部２９の内周面の後端部には、全周にわたって延びる第一雌ネジ部５１が形成されている。さらに、第一雌ネジ部５１から内視鏡用アダプタ１４の先端側に所定の間隔を空けて第二雌ネジ部５２が形成されている。
【００３２】
このような構成のもと、挿入部２の先端を接続筒部２９の開口端に挿入し、接続筒部２９を回転させると、先端硬質部２２（図１に示す）に形成された雄ネジ部と第一雌ネジ部５１とが螺合するようになっている。さらに接続筒部２９を回転させると、雄ネジ部は、第一雌ネジ部５１を乗り越えて、第二雌ネジ部５２に螺合し、これにより、内視鏡用アダプタ１４が挿入部２の先端に着脱可能に取り付けられるようになっている。すなわち、第一雌ネジ部５１は、内視鏡用アダプタ１４が挿入部２から脱落するのを防止するための抜け止めとして機能するものである。そして、内視鏡用アダプタ１４が挿入部２の先端に取り付けられると、先端硬質部２２に設けられた挿入側電極端子と接点ピン４３とが当接し、接点ピン４３が支持本体部２５に没した状態で、挿入側電極端子と接点ピン４３とが電気的に接続されるようになっている。
【００３３】
また、先端カバー２６の外底面３６（内視鏡用アダプタ１４の先端面）には、ネジ３１を通すための円形の開口部３２が形成されており、先端カバー２６の側面には、内視鏡用アダプタ１４の長さ方向に並べられた矩形状の開口部５３ａ，５３ｂが形成されている。開口部５３ａ内には、後述するＬＥＤユニット３７が配され、開口部５３ｂ内には、凹レンズ４９が配されている。
また、支持本体部２５の先端から先端カバー２６の内底面３５までの間には、ＬＥＤユニット３７が設けられている。ＬＥＤユニット３７は、開口部５３ａを通して先端カバー２６内に組み込まれている。
【００３４】
ＬＥＤユニット３７は、本体としてのＬＥＤベース３８を備えている。ＬＥＤベース３８の側面のうち、内視鏡用アダプタ１４の先端側に配された側面には、ネジ孔５６が形成されている。そして、ネジ孔５６に、開口部３２を通してネジ３１が螺合することにより、ＬＥＤユニット３７が固定されている。ＬＥＤベース３８の側面のうち、内視鏡用アダプタ１４の長さ方向に直交する方向に配された両側面には、高さ方向の全長にわたって延びるベース凹部５７が形成されている。また、ＬＥＤベース３８の上面には、矩形板状に形成されたＬＥＤ基板３９が設けられている。ＬＥＤ基板３９の辺部のうち、内視鏡用アダプタ１４の長さ方向に直交する方向に配された両辺部には、ベース凹部５７に対応させて基板凹部６１が形成されている。また、ＬＥＤ基板３９の上面には、複数のＬＥＤチップ（照明部）４２と、これらＬＥＤチップ４２に電気的に接続された一対の接続部６２が設けられている。
【００３５】
さらに、本実施形態においては、接続部６２と接点ピン４３とが一対のケーブル６４を介して電気的に接続されており、これら一対のケーブル６４の長さ寸法は、接続部６２と接点ピン４３との間の最短の配線距離よりも長く設定されている。ケーブル６４の一端は、接続部６２においてはんだ付けされ、ケーブル６４の他端は接点ピン４３にはんだ付けされている。ケーブル６４の先端側は、基板凹部６１及びベース凹部５７内に配されている。
また、本実施形態におけるＬＥＤベース３８は、図４に示すように、断面略Ｔ字状に形成されている。そして、ＬＥＤベース３８と先端カバー２６の内面との間には、余剰スペースＳが設けられている。さらに、この余剰スペースＳに、ケーブル６４の余剰分が収納されている。
【００３６】
このような構成において、挿入部２の先端に内視鏡用アダプタ１４を取り付けて所定の駆動スイッチをオンすると、電源部４からＬＥＤチップ４２に電源が供給されて、ＬＥＤチップ４２が照明光を発する。そして、挿入部２を被検体内に挿入する。これにより、被検体に照明光が照射される。すると、内視鏡用アダプタ１４を介して被検体からの反射光が取り込まれて、その反射光がＣＣＤにより電気信号に変換され、モニタ８に観察画像が表示される。そこで、リモコン１１を操作することにより湾曲部２１を介して挿入部２の向きを調整する。これにより、被検体の最適な観察画像が得られる。
【００３７】
次いで、上記のように構成された内視鏡用アダプタ１４の製造方法について説明する。
まず、支持本体部２５にプリズム４６、両凸レンズ４７及びガラス板４８を固定する。そして、ケーブル６４の他端が接続された接点ピン４３を支持本体部２５に固定する。一方、先端カバー２６に設けられた開口部５３ｂには凹レンズ４９を固定する。この状態で、先端カバー２６の開放端に支持本体部２５を挿入し、固定する。このとき、アダプタ本体部２８内におけるケーブル６４を９０度折り曲げて、開口部５３ａを介してケーブル６４の一端側をアダプタ本体部２８の外方に取り出しておく。
それから、図５に示すように、接続工程において、ベース凹部５７及び基板凹部６１内にケーブル６４を配した状態で、ＬＥＤユニット３７を開口部５３ａに所定分だけ挿入する。このとき、ＬＥＤユニット３７がアダプタ本体部２８から側方に突出した状態にする。そして、この状態で、ケーブル６４の先端と接続部６２をはんだ付けする。
【００３８】
さらに、組み込み工程において、はんだ付けしたＬＥＤユニット３７をアダプタ本体部２８内に押し込む。なお、このときの押し込む方向が、組み込み方向Ｐとなる。
そして、ＬＥＤユニット３７を押し込むことにより、ＬＥＤベース３８とアダプタ本体部２８の内面との間に余剰スペースＳが設けられる。ＬＥＤユニット３７を押し込んでいくと、ケーブル６４が撓んでいくが、このケーブル６４の撓んだ分が余剰スペースＳ内に配されるようにする。これにより、ケーブル６４の余剰分が余剰スペースＳに収納される。
それから、ＬＥＤユニット３７を押し込んだ状態で、ネジ３１を開口部３２に通して、ＬＥＤユニット３７をネジ止めする。これにより、ＬＥＤユニット３７がアダプタ本体部２８内で固定される。
【００３９】
このように、本実施形態における内視鏡用アダプタ１４は、ＬＥＤユニット３７がアダプタ本体部２８から側方に突出した状態で、ケーブル６４を介してＬＥＤユニット３７と接点ピン４３とがあらかじめはんだ付けされることにより電気的に接続され、それからＬＥＤユニット３７がアダプタ本体部２８に組み込まれることにより形成される。
【００４０】
以上より、本実施形態における内視鏡装置１によれば、ケーブル６４の長さ寸法が、接点ピン４３とＬＥＤユニット３７との間の最短の配線距離よりも長く設定されていることから、ＬＥＤユニット３７をアダプタ本体部２８内に組み込む前に、あらかじめ接点ピン４３とＬＥＤユニット３７とをケーブル６４を介して電気的に接続することができる。そのため、ＬＥＤユニット３７を組み込む前に比べて広いスペース内で迅速かつ容易にケーブル６４と接続部６２とのはんだ付けをすることができ、ＬＥＤユニット３７の組み込み作業負担を大幅に軽減させることができる。
さらに、アダプタ本体部２８に、こてを入れるスペースなどを設ける必要がなくなるため、大型化を抑えることができるだけでなく、ＬＥＤチップ４２をより多く設けることができることから、最適かつ十分な光量の照明光を容易に得ることができる。
【００４１】
また、ＬＥＤユニット３７を組み込んだ後、ケーブル６４の余剰分が余剰スペースＳに収納されることから、ＬＥＤユニット３７と接点ピン４３とを長期にわたって確実に接続することができる。
【００４２】
（実施形態２）
次に、本発明の第２の実施形態について説明する。
図６は、本発明の第２の実施形態を示したものである。
図６において、図１から図５に記載の構成要素と同一部分については同一符号を付し、その説明を省略する。
この実施形態と上記第１の実施形態とは基本的構成は同一であり、ここでは異なる点についてのみ説明する。
【００４３】
本実施形態においては、ＬＥＤベース３８と先端カバー２６の内周面との間に、バネ（付勢部材）６６が設けられている。そして、バネ６６により、ＬＥＤユニット３７は、組み込み方向Ｐと反対方向に付勢されている。
このような構成の内視鏡用アダプタ１４は、以下のようにして製造される。
すなわち、接続工程において、ＬＥＤユニット３７は、アダプタ本体部２８から側方に突出した状態ではんだ付けされる。このとき、ＬＥＤユニット３７は、バネ６６に支持されてアダプタ本体部２８から側方に突出した状態で保持される。それから、ＬＥＤユニット３７がはんだ付けされて、バネ６６の付勢力に抗して、ＬＥＤユニット３７を押し込む。そして、押し込まれた状態で、ネジ３１を開口部３２に通して締め込むことによってＬＥＤユニット３７が固定される。
【００４４】
以上より、本実施形態における内視鏡装置１によれば、はんだ付けの際、ＬＥＤユニット３７が、アダプタ本体部２８から突出した状態で付勢部材に支持されることから、さらに容易にはんだ付けを行うことができる。
【００４５】
（実施形態３）
次に、本発明の第３の実施形態について説明する。
図７及び図８は、本発明の第３の実施形態を示したものである。
本実施形態においては、図７に示すように、ＬＥＤベース３８に、底面部から上面部に向けてネジ孔６８が形成されている。ネジ孔６８は、組み込み方向Ｐ（図８に示す）に向けて延ばされている。また、支持本体部２５の先端には、内視鏡用アダプタ１４の長さ方向に突出する延在部７０が設けられている。延在部７０には、ネジ孔６８と一致するように開口部６９が形成されている。さらに、先端カバー２６の側面には、開口部６９と一致するように開口部７１が形成されている。
【００４６】
このような構成の内視鏡用アダプタ１４は、以下のようにして製造される。
すなわち、接続工程において、図８に示すように、先端カバー２６の開口部７１と延在部７０の開口部６９とにネジ７３を通して、このネジ７３を、ＬＥＤユニット３７のネジ孔６８に所定分だけ螺合させる。これにより、ＬＥＤユニット３７は、ネジ７３に支持されてアダプタ本体部２８から突出した状態で保持される。それから、ＬＥＤユニット３７とケーブル６４とをはんだ付けして、ネジ７３を締める。これにより、ＬＥＤユニット３７がアダプタ本体部２８内に組み込まれて固定される。
【００４７】
以上より、本実施形態における内視鏡装置１によれば、はんだ付けの際、ＬＥＤユニット３７が、アダプタ本体部２８から突出した状態でネジ７３に支持されることから、さらに容易にはんだ付けを行うことができる。さらに、ネジ７３を締めることにより、ＬＥＤ３７を組み込んで固定することができることから、ＬＥＤユニット３７を突出させた状態で支持する支持部材などを別途設ける必要がなく、部品点数を減少させることができる。
【００４８】
（実施形態４）
次に、本発明の第４の実施形態について説明する。
図９及び図１０は、本発明の第４の実施形態を示したものである。
本実施形態においては、内視鏡用アダプタ１４がより小さく形成されたものである。そして、図９に示すように、ＬＥＤユニット３７´と接点ピン４３とが、フラットフレキシブルケーブル７５を介してはんだ付けされることにより電気的に接続されている。
また、ＬＥＤユニット３７´は、ＬＥＤ基板３９´の上面からＬＥＤベース３８´の下面から突出した位置にわたって延びるリードピン７７を備えている。リードピン７７は、ＬＥＤチップ４２´に電気的に接続されている。そして、ＬＥＤベース３８´の下面側（アダプタ本体部２８の内方側）において、フラットフレキシブルケーブル７５の一端とリードピン７７とがはんだ付けされている。さらに、フラットフレキシブルケーブル７５の余剰分は、上記と同様に、余剰スペースＳに収納されている。
【００４９】
このような構成の内視鏡用アダプタ１４は、以下のようにして製造される。
すなわち、接続工程において、図１０に示すように、ＬＥＤユニット３７´を突出させた状態で、ＬＥＤベース３８の下面側において、リードピン７７とフラットフレキシブルケーブル７５とをはんだ付けする。それから、ＬＥＤユニット３７´をアダプタ本体部２８内に組み込んで固定する。
【００５０】
以上より、本実施形態における内視鏡装置１によれば、フラットフレキシブルケーブル７５を使用していることから、リードピン７７とフラットフレキシブルケーブル７５との電気的接触面積を大きくすることができ、ＬＥＤユニット３７´と接点ピン４３とを長期にわたって確実に接続することができる。また、フラットフレキシブルケーブル７５は曲がり易くなっていることから、ＬＥＤユニット３７´と接点ピン４３とを接続した後でも、ＬＥＤユニット３７´の組み込みを容易に行うことができる。
【００５１】
（実施形態５）
次に、本発明の第５の実施形態について説明する。
図１１及び図１２は、本発明の第５の実施形態を示したものである。
本実施形態においては、図１１に示すように、内視鏡用アダプタ１４を直視用として構成したものである。
すなわち、図１２に示すように、支持本体部８０は、略筒状に形成されており、その筒孔に観察光学系８１が設けられている。支持本体部８０の側面の先端側には切り欠き部８４が形成されている。また、支持本体部８０の先端面には、ドーナツ状に形成されたＬＥＤ基板８５が設けられており、ＬＥＤ基板８５の上面には、ＬＥＤチップ８６が設けられている。
【００５２】
また、支持本体部８０の側面の先端側には、筒状の先端カバー９０が取り付けられている。先端カバー９０の内面と、支持本体部８０の外側面との間には、切り欠き部８４によって、余剰スペースＳが設けられている。
さらに、ケーブル８９の長さ寸法は、接点ピン４３と接続部６２との間の最短の配線距離よりも長く設定されており、ケーブル８９の余剰分は余剰スペースＳに収納されている。
【００５３】
このような構成の内視鏡用アダプタ１４は、以下のようにして製造される。
すなわち、接続工程において、アダプタ本体部２８の先端からＬＥＤ基板８５を前方に突出させた状態で、ケーブル８９と接続部６２とをはんだ付けする。それから、ＬＥＤ基板８５をアダプタ本体部２８内に組み込んで固定する。
【００５４】
以上より、本実施形態における内視鏡装置１によれば、上記第１の実施形態と同様の効果を奏することができる。
【００５５】
なお、本実施形態においては、挿入部２に着脱可能に取り付けられる内視鏡用アダプタ１４を備えるものとしたが、これに代えて、内視鏡用アダプタ１４を設けない固定タイプとしてもよい。この場合、電源部からＬＥＤチップ４２まで延びるケーブルの長さ寸法を、電源部とＬＥＤチップ４２との間の最短の配線距離よりも長く設定すればよい。そして、余剰スペースは挿入部又は本体収納ボックス内に設けることができる。ただし、余剰スペースはＬＥＤチップ４２の近傍に設けることが好ましい。
また、電源部４を設けるとしたが、外部電源を利用する場合、コンセントを設けることができる。この場合には、ケーブルの長さ寸法を、コンセントとＬＥＤチップ４２との間の最短の配線距離よりも長く設定すればよい。
なお、本発明の技術範囲は上記の実施形態に限定されるものではなく、本発明の趣旨を逸脱しない範囲において、種々の変更を加えることが可能である。
【図面の簡単な説明】
【００５６】
【図１】本発明に係る内視鏡装置の第１の実施形態を示す斜視図である。
【図２】図１の内視鏡用アダプタを拡大して示す斜視図である。
【図３】図１の内視鏡用アダプタを拡大して示す図であって、ＬＥＤユニット以外を破断して示す側断面図である。
【図４】図３のＸ−Ｘ線矢視断面図である。
【図５】図３の内視鏡用アダプタにおいて、ＬＥＤユニットを組み込む前の様子を示す説明図である。
【図６】本発明に係る内視鏡装置の第２の実施形態における内視鏡用アダプタを示す図であって、ＬＥＤユニット以外を破断して示す側断面図である。
【図７】本発明に係る内視鏡装置の第３の実施形態における内視鏡用アダプタを示す側断面図である。図５の内視鏡用アダプタ及び挿入部を示す側断面図である。
【図８】図７の内視鏡用アダプタにおいて、ＬＥＤユニットを組み込む前の様子を示す説明図である。
【図９】本発明に係る内視鏡装置の第４の実施形態における内視鏡用アダプタを示す側断面図である。
【図１０】図９のＬＥＤユニットを組み込む前の様子を示す斜視図である。
【図１１】本発明に係る内視鏡装置の第５の実施形態における内視鏡用アダプタを示す斜視図である。
【図１２】図１１の内視鏡用アダプタを拡大して示す側断面図である。
【符号の説明】
【００５７】
１    内視鏡装置
２    挿入部
３    本体収納ボックス（内視鏡本体部）
４    電源部
１４  内視鏡用アダプタ
２８  アダプタ本体部
４２  ＬＥＤチップ（照明部）
４３  接点ピン（アダプタ側電極部）
６４  ケーブル
６６  バネ（付勢部材）
６８  ネジ孔
７３  ネジ
７５  フラットフレキシブルケーブル
８９  ケーブル
Ｓ    余剰スペース
【図１】
2007312809.tif 000003
【図２】
2007312809.tif 000004
【図３】
2007312809.tif 000005
【図４】
2007312809.tif 000006
【図５】
2007312809.tif 000007
【図６】
2007312809.tif 000008
【図７】
2007312809.tif 000009
【図８】
2007312809.tif 000010
【図９】
2007312809.tif 000011
【図１０】
2007312809.tif 000012
【図１１】
2007312809.tif 000013
【図１２】
2007312809.tif 000014